(57)【要約】【課題】ケースの周囲に他部品が近接して配置される等、作業スペースが狭い場所にケースが設置される場合でも、前記ケースの構造を大幅に変更することなく、係止部材の係止解除作業を容易に行うことができるケースを提供する。【解決手段】ケース１０は、ケース本体３と、該ケース本体３に取り付けられるカバー４と、カバー４に設けられた支持部７に一端が支持され、他端がケース本体３に設けられた係止部８に係止される係止部材２と、係止解除部材５と、を備えている。係止解除部材５は、ケース本体３の側壁３３と相対する板部５０と、該板部５０の中央部５３と側壁３３とを連結した連結部５４と、を有するシーソー状に形成されており、板部５０の一端部５１が側壁３３側に押圧されることにより該板部５０の他端部５２が側壁３３から離れる側に変位して係止部材２を係止部８から離れる方向に押圧する。【選択図】図３
2011229302.tif 000002
【特許請求の範囲】
【請求項１】
ケース本体と、該ケース本体に取り付けられるカバーと、前記ケース本体及び前記カバーのいずれか一方に設けられた支持部に一端が支持され、他端が前記ケース本体及び前記カバーのいずれか他方に設けられた係止部に係止される係止部材と、を備えたケースにおいて、
前記他方の側壁と相対する板部と、該板部の中央部と前記側壁とを連結した連結部と、を有するシーソー状に形成され、前記板部の一端部が前記側壁側に押圧されることにより該板部の他端部が前記側壁から離れる側に変位して前記係止部材を前記係止部から離れる方向に押圧する係止解除部材を備えている
ことを特徴とするケース。
【請求項２】
前記支持部が前記カバーに設けられ、前記係止部が前記ケース本体に設けられていることを特徴とする請求項１に記載のケース。
【請求項３】
前記係止部材が板バネであることを特徴とする請求項１または請求項２に記載のケース。
【発明の詳細な説明】
【技術分野】
【０００１】
本発明は、例えば、電気接続箱等に用いられるケースに関するものである。
【背景技術】
【０００２】
自動車には多種多様な電子機器が搭載されている。これら多種多様な電子機器に電力供給や信号伝送を行うために、前記自動車には、電気接続箱が搭載されている。この電気接続箱は、様々な構成のものが用いられているが、例えば、図６に示すケース２１０を備えた電気接続箱２０１が知られている（特許文献１を参照。）。
【０００３】
図６に示すケース２１０は、ケース本体３と、ケース本体３に取り付けられるカバー４と、これらケース本体３とカバー４とを固定する係止部材２と、を備えている。
【０００４】
上記係止部材２は、金属板にプレス加工等が施されて得られる板バネである。この係止部材２は、その一端にＵ字状に曲げられた固定端部２１が設けられ、その他端にＶ字状に曲げられた係止端部２３が設けられ、固定端部２１と係止端部２３との間に円弧状に曲げられた円弧部２０が設けられている。また、係止端部２３には、係止部材２の先端が折り返されて形成された操作部２２が設けられている。
【０００５】
また、上記カバー４には係止部材２の固定端部２１を支持する支持部７が設けられており、上記ケース本体３には係止部材２の係止端部２３が係止される係止部８が設けられている。前記支持部７は、ケース本体３から離れた側に貫通穴が設けられた箱状に形成されている。前記固定端部２１は、前記貫通穴から支持部７内に挿入されて、この支持部７に回転自在に支持される。また、前記係止部８は、カバー４から離れた側に凸に形成されている。前記係止端部２３は、係止部８に引っ掛けられることでこの係止部８に係止される。
【０００６】
このようなケース２１０は、支持部７に固定端部２１が支持された状態でカバー４がケース本体３に取り付けられ、そして、操作部２２がケース本体３の側壁側に押圧されることにより係止端部２３が係止部８に係止されて、係止部材２によりケース本体３とカバー４とが固定される。また、係止端部２３が係止部８に係止された状態で、操作部２２がケース本体３の側壁から離れた側に引っ張られることにより、係止端部２３即ち係止部材２の係止部８への係止が解除される。
【０００７】
上述したケース２１０を備えた電気接続箱２０１は、図７に示す配置で車体１５に取り付けられることがあった。図７において、符号１６はバッテリを示している。また、符号１７は作業員の腕を示しており、符号１８は作業員の手を示している。このように、電気接続箱２０１は、ケース２１０とバッテリ１６との間に腕１７を一本入れることができる程度の隙間しか設けられていない配置で車体１５に取り付けられることがあった。
【先行技術文献】
【特許文献】
【０００８】
【特許文献１】実開平６−６１７４３号公報
【発明の概要】
【発明が解決しようとする課題】
【０００９】
しかしながら、上述したケース２１０を備えた電気接続箱２０１においては、以下に示す問題があった。即ち、電気接続箱２０１が図７に示したようにケース２１０とバッテリ１６との間に腕１７を一本入れることができる程度の隙間しか設けられていない配置で車体１５に取り付けられる場合、作業員の作業位置から見てケース２１０の奥側に位置する係止部材２の係止解除作業が非常に困難であるという問題があった。
【００１０】
即ち、図７において、ケース２１０の奥側に位置する係止部材２の係止解除作業を行う際は、ケース２１０とバッテリ１６との間に腕１７を通し、肘を伸ばした状態で操作部２２を矢印Ｂ方向に引っ張らなければならないが、肘を伸ばした状態では、操作部２２をケース本体３側に押す方向の力は入るものの、操作部２２をケース本体３から離れる側、即ち矢印Ｂ方向、に引く方向の力が入り難く、そのために、係止部材２の係止解除作業が非常に困難であるという問題があった。
【００１１】
また、上述した問題は、前記ケースが電気接続箱以外の物品に用いられる場合にも、同様に起こり得る問題である。
【００１２】
したがって、本発明は、ケースの周囲に他部品が近接して配置される等、作業スペースが狭い場所にケースが設置される場合でも、前記ケースの構造を大幅に変更することなく、係止部材の係止解除作業を容易に行うことができるケースを提供することを目的とする。
【課題を解決するための手段】
【００１３】
上記目的を達成するために請求項１に記載された発明は、ケース本体と、該ケース本体に取り付けられるカバーと、前記ケース本体及び前記カバーのいずれか一方に設けられた支持部に一端が支持され、他端が前記ケース本体及び前記カバーのいずれか他方に設けられた係止部に係止される係止部材と、を備えたケースにおいて、前記他方の側壁と相対する板部と、該板部の中央部と前記側壁とを連結した連結部と、を有するシーソー状に形成され、前記板部の一端部が前記側壁側に押圧されることにより該板部の他端部が前記側壁から離れる側に変位して前記係止部材を前記係止部から離れる方向に押圧する係止解除部材を備えていることを特徴とするケースである。
【００１４】
請求項２に記載された発明は、請求項１に記載された発明において、前記支持部が前記カバーに設けられ、前記係止部が前記ケース本体に設けられていることを特徴とするものである。
【００１５】
請求項３に記載された発明は、請求項１または請求項２に記載された発明において、前記係止部材が板バネであることを特徴とするものである。
【発明の効果】
【００１６】
請求項１に記載された発明によれば、前記他方の側壁と相対する板部と、該板部の中央部と前記側壁とを連結した連結部と、を有するシーソー状に形成され、前記板部の一端部が前記側壁側に押圧されることにより該板部の他端部が前記側壁から離れる側に変位して前記係止部材を前記係止部から離れる方向に押圧する係止解除部材を備えているので、前記板部の一端部を前記側壁側に押圧することにより、前記係止部材の前記係止部への係止解除作業を行うことができる。よって、ケースの周囲に他部品が近接して配置される等、作業スペースが狭い場所にケースが設置される場合でも、前記ケースの構造を大幅に変更することなく、係止部材の係止解除作業を容易に行うことができるケースを提供することができる。
【００１７】
請求項２に記載された発明によれば、前記支持部が前記カバーに設けられ、前記係止部が前記ケース本体に設けられているので、既存のケースのケース本体に前記係止解除部材を容易に追加することができる。よって、前記ケースの構造を大幅に変更することなく、係止部材の係止解除作業を容易に行うことができるケースを提供することができる。
【００１８】
請求項３に記載された発明によれば、前記係止部材が板バネであるので、該係止部材を、前記板部の他端部に押圧されることで係止部への係止が解除される構造とすることができる。
【図面の簡単な説明】
【００１９】
【図１】本発明の一実施の形態にかかるケースを示す平面図である。
【図２】図１に示されたケースが車体に取り付けられた状態を示す平面図である。
【図３】図１に示されたケースの要部を示す斜視図である。
【図４】図１に示されたケースの要部を示す平面図である。
【図５】図１に示されたケースが車体に取り付けられた状態において、該ケースの係止部に係止された係止部材の係止解除作業を説明する説明図である。
【図６】従来のケースを示す平面図である。
【図７】図６に示されたケースが車体に取り付けられた状態において、該ケースの係止部に係止された係止部材の係止解除作業を説明する説明図である。
【発明を実施するための形態】
【００２０】
本発明の一実施の形態にかかる「ケース１０」を備えた電気接続箱１を図１〜図５を参照して説明する。
【００２１】
また、電気接続箱１は、自動車に搭載され、前記自動車に搭載された電子機器に対して電力供給及び信号伝送を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００２２】
上記電気接続箱１は、図１、図２に示すように、リレー、ヒューズ、バスバ等の複数の電気部品と、これら電気部品が収容されるケース１０と、ケース１０内に引き込まれたワイヤハーネスの電線１１をその内側に通してケース１０を防水するグロメット１２と、ケース１０内に引き込まれた電源ケーブル６に装着されてケース１０を防水するグロメット１３と、を備えている。
【００２３】
上記ケース１０は、図１〜図４に示すように、ケース本体３と、このケース本体３の開口部を覆うようにケース本体３に取り付けられるカバー４と、これらケース本体３とカバー４とを固定する係止部材２と、ケース本体３に設けられた係止解除部材５と、を備えている。また、ケース１０は、コストアップを抑えるために、係止解除部材５が設けられていること以外は前述した図６のケース２１０と同一の構成としている。
【００２４】
上記ケース本体３は、合成樹脂で構成され、長方形の板状に形成された底壁３０と、この底壁３０の外縁から矢印Ｙ方向に立設した複数の側壁３１，３２，３３，３４と、により箱状に形成されている。即ち、前記「開口部」とは、複数の側壁３１，３２，３３，３４の底壁３０から離れた側の縁に囲まれる空間を意味する。
【００２５】
また、図１〜図３中の矢印Ｘは、底壁３０の長手方向、即ちケース本体３の長手方向、を示しており、図１〜図３中の矢印Ｚは、底壁３０の幅方向、即ちケース本体３の幅方向、を示している。また、矢印Ｘと矢印Ｚとは直交している。また、図１〜図３の矢印Ｙは、矢印Ｘと矢印Ｚとの双方と直交する方向であり、ケース本体３の深さ方向を示している。
【００２６】
上記カバー４は、合成樹脂で構成され、長方形の板状に形成された天井壁４０と、この天井壁４０の外縁から立設した複数の側壁４１，４２，４３，４４と、により箱状に形成されている。このカバー４は、天井壁４０がケース本体３の底壁３０と相対し、側壁４１，４２，４３，４４がケース本体３の側壁３１，３２，３３，３４とそれぞれ重なるようにケース本体３に取り付けられる。
【００２７】
上記係止部材２は、図３、図４に示すように、金属板にプレス加工等が施されて得られる板バネである。この係止部材２は、その一端にＵ字状に曲げられた固定端部２１が設けられ、その他端にＶ字状に曲げられた係止端部２３が設けられ、固定端部２１と係止端部２３との間に円弧状に曲げられた円弧部２０が設けられている。また、係止端部２３には、係止部材２の先端が折り返されて形成された操作部２２が設けられている。また、ケース１０において、係止部材２は４つ設けられている。
【００２８】
また、上記カバー４の側壁４３と側壁４４とには、係止部材２の固定端部２１を支持する支持部７が２つずつ設けられており、上記ケース本体３の側壁３３と側壁３４とには、係止部材２の係止端部２３が係止される係止部８が２つずつ設けられている。即ち、係止部材２は、ケース１０の四隅に配置されている。また、前記支持部７は、ケース本体３から離れた側に貫通穴が設けられた箱状に形成されている。前記固定端部２１は、前記貫通穴から支持部７内に挿入されて、この支持部７に回転自在に支持される。また、前記係止部８は、カバー４から離れた側に凸に形成されている。前記係止端部２３は、係止部８に引っ掛けられることでこの係止部８に係止される。
【００２９】
上述した４つの係止部材２を備えたケース１０は、各支持部７に各係止部材２の固定端部２１が支持された状態でカバー４がケース本体３に取り付けられ、そして、各係止部材２の操作部２２がそれぞれケース本体３の側壁３３，３４側に押圧されることにより係止端部２３が係止部８に係止されて、４つの係止部材２によりケース本体３とカバー４とが固定される。また、係止端部２３が係止部８に係止された状態で、操作部２２がケース本体３の側壁３３，３４から離れた側に引っ張られるまたは押圧されることにより、係止端部２３即ち係止部材２の係止部８への係止が解除される。
【００３０】
上記係止解除部材５は、ケース本体３の側壁３３に２つ設けられている。この係止解除部材５は、図３、図４に示すように、矢印Ｙ方向に延びた板状に形成されて側壁３３と相対する板部５０と、板部５０の長手方向の中央部５３と側壁３３とを連結した連結部５４と、を有するシーソー状に形成されている。また、板部５０の長手方向の一端部５１は、他端部５２よりも係止部８から離れた側に配置されている。また、板部５０の他端部５２は、係止部８に係止された状態の係止端部２３の操作部２２と側壁３３との間に配置されている。また、係止端部２３が係止部８に係止された状態で、板部５０の他端部５２は、操作部２２との間にわずかな隙間をあけているが、本発明では、板部５０の他端部５２が操作部２２に当接する構成としても良い。また、この係止解除部材５は、ケース本体３と一体成形されている。
【００３１】
このような係止解除部材５は、図５に示すように、板部５０の一端部５１が側壁３３側、即ち矢印Ａ方向、に押圧されることにより、連結部５４が弾性変形して、板部５０の他端部５２が側壁３３から離れる側、即ち矢印Ｂ方向、に変位する。このことから、係止部材２の係止端部２３が係止部８に係止された状態で板部５０の一端部５１を側壁３３側に押圧すると、板部５０の他端部５２が側壁３３から離れる側に変位して係止部材２の操作部２２を側壁３３から離れる側、即ち係止部８から離れる方向、に押圧する。このことにより、係止部材２の係止部８への係止が解除される。また、図５において、符号１６はバッテリを示している。また、符号１７は作業員の腕を示しており、符号１８は作業員の手を示している。
【００３２】
このように、４つの係止部材２のうち側壁３３，４３側に設けられた２つの係止部材２については、操作部２２を手１８で摘まんで側壁３３から離れた側に引っ張ることで係止部８への係止を解除する以外に、係止解除部材５を利用して、板部５０の一端部５１を手１８で側壁３３側に押圧することで係止部８への係止を解除することも可能である。
【００３３】
上述したケース１０を備えた電気接続箱１は、図２、図５に示す配置で車体１５に取り付けられる。即ち、電気接続箱１は、ケース本体３の底壁３０が車体１５に重ねられ、側壁３４が作業員の作業位置から見て手前側に位置し、係止解除部材５が設けられた側壁３３が作業員の作業位置から見て奥側に位置する向きで車体１５に取り付けられる。また、前記「作業員」とは、電気接続箱１の車体１５への取り付け作業やメンテナンス作業等を行う作業員を指す。また、電気接続箱１の近傍には、バッテリ１６が配置される。このバッテリ１６と電気接続箱１のカバー４とは、互いの間に腕１７を一本入れることができる程度の隙間ｍをあけて相対する。また、本実施形態では、隙間ｍは１０ｃｍとされている。
【００３４】
続いて、図２、図５に示す配置で車体１５に取り付けられた電気接続箱１の係止部材２の係止端部２３を係止部８に係止させる際及び係止を解除する際の方法について説明する。
【００３５】
まず、作業員の作業位置から見て手前側に位置する側壁３４，４４側に設けられた２つの係止部材２については、操作部２２を手１８で側壁３４側に押圧することで係止端部２３を係止部８に係止させる。また、操作部２２を手１８で摘まんで側壁３４から離れた側に引っ張ることで係止端部２３の係止部８への係止を解除する。
【００３６】
次に、作業員の作業位置から見て奥側に位置する側壁３３，４３側に設けられた２つの係止部材２については、ケース１０とバッテリ１６との間に腕１７を通し、肘を伸ばした状態で操作部２２を手１８で側壁３３側に押圧することで係止端部２３を係止部８に係止させる。また、係止端部２３の係止部８への係止を解除する際は、図５に示すようにケース１０とバッテリ１６との間に腕１７を通し、肘を伸ばした状態で、板部５０の一端部５１を手１８で矢印Ａ方向に押圧することで、板部５０の他端部５２を矢印Ｂ方向に変位させて、この他端部５２によって操作部２２を矢印Ｂ方向に押圧させて、係止端部２３の係止部８への係止を解除する。このようにするのは、前述したように、肘を伸ばした状態では、操作部２２を矢印Ｂ方向に引く方向の力が入り難いからである。
【００３７】
このように、本発明によれば、ケース１０が係止解除部材５を備えているので、従来は操作部２２を引っ張って行う係止部材２の係止解除作業を、前記操作部２２を引っ張る方向と逆方向に係止解除部材５を押圧することでも行うことができる。よって、ケース１０と他部品との間に腕１７を一本入れることができる程度の隙間ｍしか設けられていない配置で電気接続箱１が車体１５に取り付けられる場合でも、係止部材２の係止解除作業を容易に行うことができる。
【００３８】
また、本発明では、支持部７がカバー４に設けられ、係止部８がケース本体３に設けられた構成としているので、既存のケース（例えば図６のケース２１０）のケース本体３に係止解除部材５を容易に追加することができる。即ち、係止解除部材５を、カバー４の側壁４３よりも面積の大きいケース本体３の側壁３３に設けることになるので、既存のケースの構造を大幅に変更することなく、ケース本体３に係止解除部材５を容易に追加することができる。
【００３９】
また、本発明では、係止部材２が板バネであるので、この係止部材２を、板部５０の他端部５２に押圧されることで係止部８への係止が解除される構造とすることができる。
【００４０】
また、上述した実施形態では、「ケース１０」を備えた電気接続箱１を例に挙げて説明したが、本発明の「ケース」は、電気接続箱以外の物品に用いても良い。
【００４１】
また、上述した実施形態では、支持部７がカバー４に設けられ、係止部８がケース本体３に設けられている例を説明したが、本発明の「ケース」においては、支持部７がケース本体３に設けられ、係止部８がカバー４に設けられていても良い。
【００４２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
２  係止部材
３  ケース本体
４  カバー
５  係止解除部材
７  支持部
８  係止部
１０  ケース
３３  側壁
５０  板部
５４  連結部
【図１】
2011229302.tif 000003
【図２】
2011229302.tif 000004
【図３】
2011229302.tif 000005
【図４】
2011229302.tif 000006
【図５】
2011229302.tif 000007
【図６】
2011229302.tif 000008
【図７】
2011229302.tif 000009